(57)【要約】      （修正有）【課題】ブースター機能の利便性の向上を図ることが可能な情報処理装置、情報処理システム、及び情報処理方法を提供する。【解決手段】情報処理装置は、マウス操作に応じて表示画像を変化させるものであって、マウスホイールが所定速度以上で回転操作されたか否かを判断する回転判定部１１ｂと、回転判定部１１ｂによりマウスホイールが所定速度以上で回転操作されたと判断された場合に、回転操作量よりも大きな操作量を設定するブースター設定部１２ａと、ブースター設定部１２ａにより設定された操作量に基づいて画像制御を行う画像制御部１２ｂと、を備え、画像制御部１２ｂは、マウス操作の対象となる表示画像における操作対象に応じて、マウス操作による画像表示の制御内容を変更する。【選択図】図３
2014067294.tif 000002
【特許請求の範囲】
【請求項１】
マウス操作に応じて表示画像を変化させる情報処理装置であって、
マウスホイールが所定速度以上で回転操作されたか否かを判断する判定手段と、
前記判定手段により前記マウスホイールが所定速度以上で回転操作されたと判断された場合に、前記回転操作量よりも大きな操作量を設定するブースター設定手段と、
マウス操作に応じて前記ブースター設定手段により設定された操作量に基づいて画像制御を行う画像制御手段と、を備え、
前記画像制御手段は、マウス操作の対象となる表示画像における操作対象に応じて、マウス操作による画像表示の制御内容を変更する
ことを特徴とする情報処理装置。
【請求項２】
前記画像制御手段は、前記ブースター設定手段により設定された操作量に応じて段階的に画像を制御する操作対象であるか、前記ブースター設定手段により設定された操作量に応じて非段階的に画像を制御する操作対象であるかを判断し、前者である場合には段階的に画像を制御し、後者である場合には非段階的に画像を制御する
ことを特徴とする請求項１に記載の情報処理装置。
【請求項３】
前記画像制御手段は、リストを表示するリスト表示画像を段階的にスクロールさせるリスト制御手段と、数値を入力する数値入力画像内の数値を非段階的に加減算する数値入力制御手段とを有する
ことを特徴とする請求項２に記載の情報処理装置。
【請求項４】
前記ブースター設定手段により設定される操作量を調整可能な操作量調整手段をさらに備え、
前記操作量調整手段は、前記操作対象毎に操作量を異なる値に調整可能である
ことを特徴とする請求項３に記載の情報処理装置。
【請求項５】
前記操作量調整手段は、前記操作対象がジョブをリスト化して表示するリスト表示画像である場合の操作量の初期値を、前記操作対象が数値を入力する数値入力画像内の数値である場合の操作量の初期値よりも大きな値としている
ことを特徴とする請求項４に記載の情報処理装置。
【請求項６】
前記リスト制御手段は、前記リスト表示画像を段階的にスクロールさせている状態において、スクロール方向と逆方向に前記マウスホイールが回転操作された場合、当該スクロールを停止させる
ことを特徴とする請求項５に記載の情報処理装置。
【請求項７】
前記判定手段は、現在の表示位置からスクロール可能なスクロール可能幅が所定幅よりも小さい場合、前記スクロール可能幅が所定幅以上である場合よりも、所定速度以上で回転操作されたか否かを判断するパラメータを、当該操作があったと判断され難い方向へ変更する
ことを特徴とする請求項３から請求項６のいずれか１項に記載の情報処理装置。
【請求項８】
マウス操作を受け付ける操作装置と、前記操作装置と通信接続されて前記操作装置により受け付けられた操作内容に応じて表示画像を変化させる処理装置とを備えた情報処理システムであって、
前記操作装置は、マウスホイールが所定速度以上で回転操作されたか否かを判断する判定手段を有し、
前記処理装置は、前記判定手段により前記マウスホイールが所定速度以上で回転操作されたと判断された場合に、前記回転操作量よりも大きな操作量を設定するブースター設定手段と、マウス操作に応じて前記ブースター設定手段により設定された操作量に基づいて画像制御を行う画像制御手段と、を備え、
前記画像制御手段は、マウス操作の対象となる表示画像における操作対象に応じて、マウス操作による画像表示の制御内容を変更する
ことを特徴とする情報処理システム。
【請求項９】
マウス操作に応じて表示画像を変化させる情報処理方法であって、
マウスホイールが所定速度以上で回転操作されたか否かを判断する判定工程と、
前記判定工程において前記マウスホイールが所定速度以上で回転操作されたと判断された場合に、前記回転操作量よりも大きな操作量を設定するブースター設定工程と、
マウス操作に応じて前記ブースター設定工程において設定された操作量に基づいて画像制御を行う制御工程と、を備え、
前記制御工程では、マウス操作の対象となる表示画像における操作対象に応じて、マウス操作による画像表示の制御内容を変更する
ことを特徴とする情報処理方法。
【発明の詳細な説明】
【技術分野】
【０００１】
本発明は、情報処理装置、情報処理システム、及び情報処理方法に関する。
【背景技術】
【０００２】
従来、マルチファンクン・ペリフェラル（以下ＭＦＰという）やパーソナル・コンピュータ（以下ＰＣ）において、画像上の指定の箇所をマウスクリックすることにより、選択項目や表示項目のリストを表示するリスト表示画像をスクロールさせたり、数値を入力する数値入力画像においては数値をカウントアップさせたりすることが知られている。
【０００３】
また、マウスの中央やや先端側に設けられる回転操作可能なマウスホイールを高速回転させた場合には、リスト表示のスクロール幅を増やしたり、数値のカウントアップ量やカウントダウン量を増やしたりするブースター機能についても知られている。このブースター機能によれば、リスト表示を大きくスクロールさせたい場合や数値を大きく変化させたいときに、マウスホイールを高速回転させればよく、利便性の向上を図ることができる。なお、ブースター機能は、画像の拡大量や縮小量を増加させるものなど、多種多様な用途に用いられる（特許文献１参照）。
【先行技術文献】
【特許文献】
【０００４】
【特許文献１】特開２００６−４２６０号公報
【発明の開示】
【発明が解決しようとする課題】
【０００５】
しかし、リスト表示画像がジョブリストを表示するものである場合、ブースター機能により一気に画像をスクロールしてしまうと、スクロールの途中に見つけたいジョブが無い場合には便利であるが、スクロールの途中に見つけたいジョブが有る場合にはそのジョブを見落としてしまうことがあり、却って利便性の低下を招いてしまう。そこで、ブースター機能を低下させスクロール幅を小さくしてしまうと、数値のようにユーザ自らが入力したい数値が予め分かっており数値を大きく変化させたい場合にはカウントアップ量やカウントダウン量が小さくなって、利便性の低下を招いてしまう。
【０００６】
本発明は、このような従来の課題を解決するためになされたものであり、その目的とするところは、ブースター機能の利便性の向上を図ることが可能な情報処理装置、情報処理システム、及び情報処理方法を提供することにある。
【課題を解決するための手段】
【０００７】
上記目的を達成するため、本発明に係る情報処理装置は、マウス操作に応じて表示画像を変化させるものであって、マウスホイールが所定速度以上で回転操作されたか否かを判断する判定手段と、判定手段によりマウスホイールが所定速度以上で回転操作されたと判断された場合に、回転操作量よりも大きな操作量を設定するブースター設定手段と、マウス操作に応じてブースター設定手段により設定された操作量に基づいて画像制御を行う画像制御手段と、を備え、画像制御手段は、マウス操作の対象となる表示画像における操作対象に応じて、マウス操作による画像表示の制御内容を変更することを特徴とする。
【０００８】
この情報処理装置によれば、マウスホイールが所定速度以上で回転操作された場合にマウス操作の対象となる表示画像における操作対象に応じてマウス操作による画像表示の制御内容を変更するため、例えばリスト表示画像の表示時、数値入力時、及び画像の拡大縮小時のそれぞれにおいて適切な制御を実行することが可能となり、ブースター機能の利便性の向上を図ることができる。
【０００９】
また、この情報処理装置において、画像制御手段は、ブースター設定手段により設定された操作量に応じて段階的に画像を制御する操作対象であるか、ブースター設定手段により設定された操作量に応じて非段階的に画像を制御する操作対象であるかを判断し、前者である場合には段階的に画像を制御し、後者である場合には非段階的に画像を制御することが好ましい。
【００１０】
この情報処理装置によれば、段階的に画像を制御する操作対象であるか、非段階的に画像を制御する操作対象であるかを判断し、前者である場合には段階的に画像を制御し、後者である場合には非段階的に画像を制御するため、ユーザが途中画像の確認を取りたい場合に段階的な制御を実行でき、ユーザが途中画像の確認を取る必要が無い場合には非段階的に、すなわち一気に画像を制御することができる。従って、より利便性の向上を図ることができる。
【００１１】
また、この情報処理装置において、画像制御手段は、リストを表示するリスト表示画像を段階的にスクロールさせるリスト制御手段と、数値を入力する数値入力画像内の数値を非段階的に加減算する数値入力制御手段とを有することが好ましい。
【００１２】
この情報処理装置によれば、リストを表示するリスト表示画像を段階的にスクロールさせるリスト制御手段と、数値を入力する数値入力画像内の数値を非段階的に加減算する数値入力制御手段とを有する。このため、リスト表示画像をスクロールさせる場合には、ユーザがジョブなどを見つける易くするために段階的にスクロールさせることができ、且つ、数値入力の場合のようにユーザが予め所望の数値を望んでおり途中を表示する必要性が無いときに一気に数値を変化させることができ、利便性の向上を図ることができる。
【００１３】
また、この情報処理装置において、ブースター設定手段により設定される操作量を調整可能な操作量調整手段をさらに備え、操作量調整手段は、操作対象毎に操作量を異なる値に調整可能であることが好ましい。
【００１４】
この情報処理装置によれば、ブースター設定手段により設定される操作量を調整可能な操作量調整手段をさらに備え、操作量調整手段は、操作対象毎に操作量を異なる値に調整可能である。このため、例えばリスト表示画像のスクロール幅、数値の変化量、及び、画像の拡大量や縮小量のそれぞれについて異なる値を設定でき、一層利便性の向上を図ることができる。
【００１５】
また、この情報処理装置において、操作量調整手段は、操作対象がジョブをリスト化して表示するリスト表示画像である場合の操作量の初期値を、操作対象が数値を入力する数値入力画像内の数値である場合の操作量の初期値よりも大きな値としていることが好ましい。
【００１６】
この情報処理装置によれば、リスト表示画像の操作量の初期値は数値入力の操作量の初期値よりも大きな値とされている。このため、リスト表示画像においては段階的にスクロールさせつつも全体的なスクロール幅を大きくすることとなり、例えば所望のジョブを見つけたいユーザにとっては、１度ブースター機能を有効化させることで、段階的に多くのジョブを見ることができ、一層利便性を向上させることができる。また、数値入力時においては数値の変化量が小さくなり、数値が大きく変化し過ぎて所望の値とし難くなってしまう事態を防止することができる。
【００１７】
また、この情報処理装置において、リスト制御手段は、リスト表示画像を段階的にスクロールさせている状態において、スクロール方向と逆方向にマウスホイールが回転操作された場合、当該スクロールを停止させることが好ましい。
【００１８】
この情報処理装置によれば、リスト表示画像を段階的にスクロールさせている状態において、スクロール方向と逆方向にマウスホイールが回転操作された場合、当該スクロールを停止させるため、例えばユーザは所望のジョブを見つけた場合にスクロールを停止させることができ、より一層利便性の向上を図ることができる。
【００１９】
また、この情報処理装置において、判定手段は、現在の表示位置からスクロール可能なスクロール可能幅が所定幅よりも小さい場合、スクロール可能幅が所定幅以上である場合よりも、所定速度以上で回転操作されたか否かを判断するパラメータを、当該操作があったと判断され難い方向へ変更することが好ましい。
【００２０】
この情報処理装置によれば、現在の表示位置からスクロール可能なスクロール可能幅が所定幅よりも小さい場合、所定速度以上で回転操作されたか否かを判断するパラメータを、当該操作があったと判断され難い方向へ変更する。このため、現在の表示位置からスクロールさせる幅があまり無い場合には、所定速度以上で回転操作されたと判断され難くして利便性を向上させることができる。
【００２１】
また、本発明に係る情報処理システムは、マウス操作を受け付ける操作装置と、操作装置と通信接続されて操作装置により受け付けられた操作内容に応じて表示画像を変化させる処理装置とを備えたものであって、操作装置は、マウスホイールが所定速度以上で回転操作されたか否かを判断する判定手段を有し、処理装置は、判定手段によりマウスホイールが所定速度以上で回転操作されたと判断された場合に、回転操作量よりも大きな操作量を設定するブースター設定手段と、マウス操作に応じてブースター設定手段により設定された操作量に基づいて画像制御を行う画像制御手段と、を備え、画像制御手段は、マウス操作の対象となる表示画像における操作対象に応じて、マウス操作による画像表示の制御内容を変更することを特徴とする。
【００２２】
この情報処理システムによれば、マウスホイールが所定速度以上で回転操作された場合にマウス操作の対象となる表示画像における操作対象に応じてマウス操作による画像表示の制御内容を変更するため、例えばリスト表示画像の表示時、数値入力時、及び画像の拡大縮小時のそれぞれにおいて適切な制御を実行することが可能となり、ブースター機能の利便性の向上を図ることができる。
【００２３】
また、本発明に係る情報処理方法は、マウス操作に応じて表示画像を変化させる方法であって、マウスホイールが所定速度以上で回転操作されたか否かを判断する判定工程と、判定工程においてマウスホイールが所定速度以上で回転操作されたと判断された場合に、回転操作量よりも大きな操作量を設定するブースター設定工程と、マウス操作に応じてブースター設定工程において設定された操作量に基づいて画像制御を行う制御工程と、を備え、制御工程では、マウス操作の対象となる表示画像における操作対象に応じて、マウス操作による画像表示の制御内容を変更することを特徴とする。
【００２４】
この情報処理方法によれば、マウスホイールが所定速度以上で回転操作された場合にマウス操作の対象となる表示画像における操作対象に応じてマウス操作による画像表示の制御内容を変更するため、例えばリスト表示画像の表示時、数値入力時、及び画像の拡大縮小時のそれぞれにおいて適切な制御を実行することが可能となり、ブースター機能の利便性の向上を図ることができる。
【発明の効果】
【００２５】
本発明によれば、ブースター機能の利便性の向上を図ることが可能な情報処理装置、情報処理システム、及び情報処理方法を提供することができる。
【図面の簡単な説明】
【００２６】
【図１】第１実施形態に係る情報処理装置を示す構成図である。
【図２】図１に示した情報処理装置の内部主要構成を示すブロック図である。
【図３】図２に示したＣＰＵの主要構成を示す機能ブロック図である。
【図４】数値入力画像の一例を示す図である。
【図５】リスト表示画像の一例を示す図である。
【図６】ブースター設定部により設定される操作量の調整画面を示す図である。
【図７】本実施形態に係る情報処理方法を示すフローチャートであって、マウス制御部の処理を示している。
【図８】本実施形態に係る情報処理方法を示すフローチャートであって、操作制御部の処理を示している。
【図９】第２実施形態に係る情報処理方法を示すフローチャートであって、マウス制御部の処理を示している。
【図１０】第２実施形態に係る情報処理方法を示すフローチャートであって、操作制御部の処理を示している。
【図１１】第２実施形態に係る情報処理方法を示す第２のフローチャートであって、マウス制御部の処理を示している。
【図１２】第３実施形態に係る情報処理システムを示す構成図である。
【発明を実施するための形態】
【００２７】
以下、本発明の実施の形態に基づいて本発明を説明するが、本発明は該実施の形態に限られない。
【００２８】
図１は、第１実施形態に係る情報処理装置を示す構成図である。図１に示すように、情報処理装置１は、例えば複写機、プリンタ、イメージスキャナ及びファクシミリなどの事務機器の機能を１つの筐体に収めたデジタル複合機である。このような情報処理装置１は、例えば給紙装置２から給紙される用紙を、情報処理装置１を経て後処理装置３に供給し、所定の印刷物を形成するものである。なお、情報処理装置１は、上記の如く前段の給紙装置２及び後段の後処理装置３を備えるものに限らず、内部に給紙装置２を備えて１台で画像形成等を行うものであってもよい。
【００２９】
図２は、図１に示した情報処理装置１の内部主要構成を示すブロック図である。図２に示すように、情報処理装置１は、装置全体を制御するＣＰＵ１０と、原稿から画像データを読取るイメージリーダ部２０と、用紙上に画像を印刷するプリンタの制御を行うプリンタコントローラ３０と、近距離の無線通信などにより、回線に接続するための通信部４０と、ジョブデータや認証データなどを記憶するための記憶部５０と、ユーザとのインターフェースであって操作入力を受け付けるタッチパネル６０と、同様にユーザとのインターフェースであってクリック操作等を受け付けるマウス７０と、消耗品の残量などを検出するセンサ部８０とを含んで構成されている。
【００３０】
ここで、タッチパネル６０は、例えば画像を表示する表示部と兼用されるものである。また、マウス７０は、右クリック操作、左クリック操作、マウスホイール回転操作、及び移動操作が可能なデバイスである。マウスホール７１（図１参照）は、マウス７０の中央やや先端側に設けられる回転操作部である。
【００３１】
図３は、図２に示したＣＰＵ１０の主要構成を示す機能ブロック図である。図３に示すように、ＣＰＵ１０は、マウス制御部１１と、操作制御部１２とを備えている。マウス制御部１１は、マウス７０から送信される各種イベントを入力して操作制御部１２に送信するものである。
【００３２】
このマウス制御部１１は、マウス７０の移動操作に基づくマウス移動イベントの情報を入力する移動判定部１１ａと、マウスホイール操作に基づくマウスホイールイベントの情報を入力する回転判定部１１ｂと、クリック操作に基づくマウスクリックイベントの情報を入力するクリック判定部１１ｃとを備えている。また、各判定部１１ａ〜１１ｃにて入力されたイベント情報は、操作制御部１２に送信される。
【００３３】
また、回転判定部１１ｂは、マウス７０から送信されるマウスホイールイベントの情報を入力し、マウスホイール７１が所定速度以上で回転操作されたか（ブースター機能を有効とする操作があったか）否かを判断する判定手段として機能する。ここで、ブースター機能とは、マウスホイール７１を高速回転させた場合に、リスト表示のスクロール幅を増やしたり、数値のカウントアップ量やカウントダウン量を増やしたりする機能である。
【００３４】
より詳細に回転判定部１１ｂは、マウスホイール７１の回転速度と回転量とに基づき、マウスホイール７１が所定速度以上で回転操作されたか否かを判断する。例えば、回転判定部１１ｂは、マウスホイールの回転量が所定量に達した場合、すなわち１ノッチ操作があった場合に計時を開始し、所定時間内に再度１ノッチ操作があったか否かを判断する。そして、所定時間内のノッチ操作が所定回数以上連続した場合に、マウスホイール７１が所定速度以上で回転操作されたと判断する。マウスホイール７１が所定速度以上で回転操作されたと判断した場合、回転判定部１１ｂは、その旨の情報についても操作制御部１２に送信する。
【００３５】
操作制御部１２は、マウス制御部１１から送信されるイベント情報を判断し、そのイベント情報に応じた制御を実行するものであって、ブースター設定部１２ａと、画像制御部１２ｂとを備えている。
【００３６】
ブースター設定部１２ａは、回転判定部１１ｂによりマウスホイール７１が所定速度以上で回転操作された場合に、マウスホイール７１の回転操作量よりも大きな操作量を設定するブースター設定手段として機能するものである。
【００３７】
より詳細にブースター設定部１２ａは、例えばマウスホイール７１の回転量が５ノッチ操作分であった場合、これに１０ノッチ操作分を加算したり、１を超える所定の係数を乗算したりして、５ノッチ操作分の操作量よりも大きな操作量を設定する。なお、以下の実施形態においてブースター設定部１２ａは、マウスホイール７１の回転操作量よりも大きな操作量を設定するにあたり、加算処理を行うものとする。
【００３８】
画像制御部１２ｂは、マウス操作等に応じてタッチパネル６０に表示される画像を制御するものである。図４は、数値入力画像の一例を示す図である。図４に示すように、タッチパネル６０には例えば印刷部数を設定する場合に数値入力画像が表示される。このような数値入力画像には、例えば印刷部数表示部Ｉａ１、テンキー表示部Ｉａ２、加算ボタン表示部Ｉａ３、減算ボタン表示部Ｉａ４、クリアボタン表示部Ｉａ５、キャンセルボタン表示部Ｉａ６、及びＯＫボタン表示部Ｉａ７が表示される。
【００３９】
印刷部数表示部Ｉａ１は、印刷部数を表示する表示領域である。テンキー表示部Ｉａ２は、印刷部数を入力するための表示領域であり、ユーザはテンキー表示部Ｉａ２上の数値をタッチしたり、マウス７０を操作してマウスポインタ７２を数値上に移動させ、且つクリック操作したりすることにより、印刷部数を入力することができる。
【００４０】
加算ボタン表示部Ｉａ３は、印刷部数を１部加算する操作を行うための表示領域であり、ユーザはタッチ操作やクリック操作をすることにより、印刷部数を１部加算することができる。減算ボタン表示部Ｉａ４は、印刷部数を１部減算する操作を行うための表示領域であり、ユーザはタッチ操作やクリック操作をすることにより、印刷部数を１部減算することができる。
【００４１】
クリアボタン表示部Ｉａ５は、印刷部数をクリアする操作を行うための表示領域であり、ユーザはタッチ操作やクリック操作をすることにより、印刷部数をクリアすることができる。キャンセルボタン表示部Ｉａ６は、印刷部数を設定する場合に数値入力画像自体をキャンセルするための操作を行う表示領域であり、ユーザはタッチ操作やクリック操作をすることにより、数値入力画像が表示される状態から１つ前の画像が表示される状態に戻したり、初期画像が表示される状態に戻したりすることができる。
【００４２】
ＯＫボタン表示部Ｉａ７は、印刷部数表示部Ｉａ１に表示される印刷部数を確定する操作を行うための表示領域であり、ユーザはタッチ操作やクリック操作をすることにより、印刷部数を確定させることができる。
【００４３】
ここで、例えばユーザがマウスポインタ７２を移動させ、加算ボタン表示部Ｉａ３上にマウスポインタ７２を位置させ、その後クリックをするという操作を行ったとすると、移動判定部１１ａ及びクリック判定部１１ｃによりイベント情報が入力され、画像制御部１２ｂに送信される。画像制御部１２ｂは、移動判定部１１ａ及びクリック判定部１１ｃからのイベント情報に基づいて、マウスポインタ７２を加算ボタン表示部Ｉａ３上に移動させる画像制御を実行すると共に、クリック操作を受けて印刷部数を１部加算した画像を表示させることとなる。
【００４４】
さらに、画像制御部１２ｂは、ブースター設定部１２ａにより設定された操作量に基づいて画像制御を行う。例えばユーザがマウスホイール７１を上方向に１ノッチ分だけ回転させた場合、画像制御部１２ｂは加算ボタン表示部Ｉａ３がクリックされたときと同様に印刷部数を１部加算して表示する。加えて、ブースター機能が有効化されてマウスホイール７１の回転量よりも大きな操作量がブースター設定部１２ａにより設定された場合、画像制御部１２ｂは、その操作量に応じた画像制御を行う。
【００４５】
例えば、マウスホイール７１が上方向に５ノッチ分だけ高速回転させられた場合、ブースター設定部１２ａにより例えば１５ノッチ分に操作量に設定され、画像制御部１２ｂは、印刷部数を１５部加算して表示することとなる。
【００４６】
再度、図３を参照する。上記のような画像制御部１２ｂは、リスト制御部（リスト制御手段）１２ｂ１、及び数値入力制御部（数値入力制御手段）１２ｂ２を有している。数値入力制御部１２ｂ２は、上記の図４に示したように、数値入力時における画像を制御するものである。なお、数値入力制御部１２ｂ２は、印刷部数を設定する数値入力画像に限らず、綴じ代の幅、画像シフト量、及び各種調整値など、あらゆる数値入力画像を制御する。
【００４７】
リスト制御部１２ｂ１は、選択項目や表示項目のリストを表示するリスト表示画像を制御するものである。図５は、リスト表示画像の一例を示す図である。図５に示すように、タッチパネル６０には、例えばジョブリストを表示するリスト表示画像が表示される。このようなリスト表示画像には、例えば印刷画像表示部Ｉｂ１、ジョブリスト表示部Ｉｂ２、詳細ボタン表示部Ｉｂ３、順序入れ替えボタン表示部Ｉｂ４、編集ボタン表示部Ｉｂ５、ＨＤＤ保存ボタン表示部Ｉｂ６、出力ボタン表示部Ｉｂ７、及びスクロールバーＩｂ８が表示される。
【００４８】
印刷画像表示部Ｉｂ１は、例えば指定されたジョブの１枚目の画像を表示する表示領域である。ジョブリスト表示部Ｉｂ２は、印刷するジョブをリスト化して表示する表示領域であり、ジョブＩＤ、ジョブ名、ユーザ名、及び部数が表示される表示領域である。また、ユーザは、ジョブリスト表示部Ｉｂ２内のジョブにタッチ操作やクリック操作をすることにより、そのジョブを指定することができる。
【００４９】
詳細ボタン表示部Ｉｂ３は、指定されたジョブの詳細を表示する操作を行うための表示領域であり、ユーザは、詳細ボタン表示部Ｉｂ３にタッチ操作やクリック操作をすることにより、そのジョブの詳細を閲覧することができる。順序入れ替えボタン表示部Ｉｂ４は、例えば指定されたジョブを他のジョブより先んじて印刷させる操作を行うための表示領域であり、ユーザは順序入れ替えボタン表示部Ｉｂ４にタッチ操作やクリック操作をすることにより、指定のジョブを優先的に印刷することができる。なお、順序入れ替えボタン表示部Ｉｂ４は、２以上のジョブを指定の上、指定のジョブ同士の順番を入れ替えるなどの操作をすることも可能である。
【００５０】
編集ボタン表示部Ｉｂ５は、指定されたジョブ画像を編集する編集画面に移行する操作を行うための表示領域であり、ユーザは編集ボタン表示部Ｉｂ５にタッチ操作やクリック操作をすることにより、編集画面に移行することができる。ＨＤＤ保存ボタン表示部Ｉｂ６は、現在のジョブリストのジョブをＨＤＤ（例えば図２に示す記憶部５０）に保存させる操作を行うための表示領域であり、ユーザはＨＤＤ保存ボタン表示部Ｉｂ６にタッチ操作やクリック操作をすることにより、ジョブリストのジョブを保存することができる。
【００５１】
出力ボタン表示部Ｉｂ７は、現在のジョブリストのジョブを印刷する操作を行うための表示領域であり、ユーザは出力ボタン表示部Ｉｂ７にタッチ操作やクリック操作をすることにより、ジョブリストのジョブを印刷することができる。スクロールバーＩｂ８は、ジョブリストをスクロールする操作を行うための表示領域であり、ユーザはスクロールバーＩｂ８にタッチ又はクリックのうえドラック操作することにより、ジョブリストを上下にスクロールすることができる。
【００５２】
ここで、例えばユーザがマウスポインタ７２を移動させ、スクロールバーＩｂ８上にマウスポインタ７２を位置させ、その後下方向にドラックするという操作を行ったとすると、移動判定部１１ａ及びクリック判定部１１ｃによりイベント情報が入力され、リスト制御部１２ｂ１に送信される。リスト制御部１２ｂ１は、移動判定部１１ａ及びクリック判定部１１ｃからのイベント情報に基づいて、スクロールバーＩｂ８を下方向に移動させる画像制御を実行すると共に、ジョブリストを下方向にスクロールさせた画像を表示することとなる。
【００５３】
さらに、リスト制御部１２ｂ１は、ブースター設定部１２ａにより設定された操作量に基づいて画像制御を行う。例えばユーザがマウスホイール７１を下方向に１ノッチ分だけ回転させた場合、リスト制御部１２ｂ１はジョブリストを１ノッチ分（例えばジョブ１つ分）だけスクロールさせて表示する。加えて、ブースター機能が有効化されてマウスホイール７１の回転量よりも大きな操作量がブースター設定部１２ａにより設定された場合、リスト制御部１２ｂ１は、その操作量に応じた画像制御を行う。
【００５４】
例えば、マウスホイール７１が下方向に５ノッチ分だけ高速回転させられた場合、ブースター設定部１２ａにより例えば１５ノッチ分に操作量に設定され、リスト制御部１２ｂ１は、ジョブリストをジョブ１５個分だけスクロールさせて表示することとなる。
【００５５】
さらに、本実施形態において画像制御部１２ｂは、ユーザの利便性向上のため、マウスホイール７１が所定速度以上で回転操作された場合、マウス操作の対象となる表示画像における操作対象に応じて、マウス操作による画像表示の制御内容を変更する。詳細に画像制御手段１２ｂは、ブースター設定部１２ａにより設定された操作量に応じて段階的に画像を制御する操作対象であるか、ブースター設定部１２ａにより設定された操作量に応じて非段階的に画像を制御する操作対象であるかを判断し、前者である場合には段階的に画像を制御し、後者である場合には非段階的に画像を制御する。
【００５６】
さらに具体的に説明すると、画像制御部１２ｂは、操作対象がリスト表示画像である場合、段階的に画像を制御する対象であると判断して判断結果の情報をリスト制御部１２ｂ１に送信する。これにより、リスト制御部１２ｂ１は、リスト表示画像（特にジョブリスト）を段階的にスクロールさせる制御を実行する。また、画像制御部１２ｂは、操作対象が数値入力画像内の数値である場合、非段階的に画像を制御する対象であると判断して判断結果の情報を数値入力制御部１２ｂ２に送信する。これにより、数値入力制御部１２ｂ２は、数値を非段階的に加減算させる制御を実行する。
【００５７】
ここで、段階的及び非段階的について説明する。リスト制御部１２ｂ１は、マウスホイール７１が所定速度以上で回転操作された場合、ジョブリストを段階的にスクロールさせる。すなわち、ブースター設定部１２ａにより例えば１５ノッチ分の操作量に設定された場合において、リスト制御部１２ｂ１は、例えば３ジョブ分のスクロールを５回行うなどして、スクロール制御を実行する。
【００５８】
ここで、ジョブリストを参照するユーザは、所望のジョブを見つけようとしてジョブリストをスクロールさせる。このため、段階的にスクロールさせず、一気にスクロールさせてしまうと、所望のジョブを見落としてしまう可能性が高まる。そこで、本実施形態に係る情報処理装置１では、段階的にスクロールさせることでユーザが所望のジョブを見落としてしまう可能性を減じることとしている。
【００５９】
一方、数値入力制御部１２ｂ２は、マウスホイール７１が所定速度以上で回転操作された場合、数値を非段階的に加減算させる。すなわち、ブースター設定部１２ａにより例えば１５ノッチ分の操作量に設定された場合において、リスト制御部１２ｂ１は、例えば一気に印刷部数を１５だけ加算したり減算したりする制御を実行する。
【００６０】
ここで、数値を入力するユーザは、目的となる値が予め分かっており、途中経過を参照する必要性が少ない。このため、段階的にスクロールさせず、非段階的に（すなわち一気に）加算したり減算したりすることにより、利便性の向上を図っている。
【００６１】
さらに、本実施形態において操作制御部１２は、操作量調整部１２ｃを備えている。操作量調整部１２ｃは、ブースター設定部１２ａにより設定される操作量を調整可能な操作量調整手段として機能するものである。
【００６２】
図６は、ブースター設定部１２ａにより設定される操作量の調整画面を示す図である。本実施形態においてユーザはタッチパネル６０に対して指定の操作を行うことにより、図６に示すような操作量の調整画像を表示させることができる。
【００６３】
図６に示すように、操作量の調整画像には、リスト移動幅表示部Ｉｃ１、カウントアップ幅表示部Ｉｃ２、テンキー表示部Ｉｃ３、加算ボタン表示部Ｉｃ４、減算ボタン表示部Ｉｃ５、クリアボタン表示部Ｉｃ６、キャンセルボタン表示部Ｉｃ７、及びＯＫボタン表示部Ｉｃ８が表示される。
【００６４】
リスト移動幅表示部Ｉｃ１は、マウスホイール７１が所定速度以上で回転操作された場合において、マウスホイール７１の回転操作量に加算される操作量、すなわちスクロール幅を表示する表示領域である。カウントアップ幅表示部Ｉｃ２は、マウスホイール７１が所定速度以上で回転操作された場合において、マウスホイール７１の回転操作量に加算される操作量、すなわちカウントアップ及びカウントダウン量を表示する表示領域である。
【００６５】
なお、加算ボタン表示部Ｉｃ４、減算ボタン表示部Ｉｃ５、クリアボタン表示部Ｉｃ６、キャンセルボタン表示部Ｉｃ７、及びＯＫボタン表示部Ｉｃ８については、図４を参照して説明したものと同様であるため、説明を省略する。なお、図６に示す操作量の調整画像についても、数値入力画像の一例であることはいうまでもない。
【００６６】
ここで、図６の画像にも示すように、操作量調整部１２ｃは、操作対象毎に操作量を異なる値に調整可能である。すなわち操作量調整部１２ｃは、リスト表示画像であるか、数値入力画像であるかに応じて、ブースター機能より加算される操作量を異なる値とすることができる構成となっている。このため、リスト表示画像のスクロール幅と数値の変化量とを、それぞれ異なる値に設定でき、一層利便性の向上を図ることができるようになっている。
【００６７】
特に、操作量調整部１２ｃは、リスト表示画像の操作量の初期値を、数値入力画像内の数値の操作量の初期値よりも大きな値としている。このため、リスト表示画像においては段階的にスクロールさせつつもスクロール幅を大きくすることとなり、所望のジョブを見つけたいユーザにとっては、１度ブースター機能を有効化させることで、段階的に多くのジョブを見ることができる。また、数値入力時においては数値の変化量が小さくなり、数値が大きく変化し過ぎて所望の値とし難くなってしまう事態を防止することができる。例えば、現在値が「３０」であり、これを「５０」にしたい場合、予め数値の変化量が「＋７０」などに設定されていると、ブースター機能により「１０５」などの数値となり却って「５０」から離れてしまう。しかし、操作量の初期値を小さくしておくことにより上記のようになってしまうことを防止することができる。
【００６８】
次に、本実施形態に係る情報処理方法について説明する。図７は、本実施形態に係る情報処理方法を示すフローチャートであって、マウス制御部１１の処理を示している。まず、図７に示すように、割り込みマウスホイールイベントが発生したとする（Ｓ１）。すなわち、マウスホイール７１が１ノッチ分だけ回転操作させられたとする。これにより、回転判定部１１ｂは、その旨のイベント情報を操作制御部１２に送信する（Ｓ２）。
【００６９】
次いで、回転判定部１１ｂは、前回の割り込みマウスホイールイベント発生から所定時間内であるか否かを判断する（Ｓ３）。前回の割り込みマウスホイールイベント発生から所定時間内であると判断した場合（Ｓ３：ＹＥＳ）、回転判定部１１ｂは、カウンタをインクリメントし（Ｓ４）、所定回転数以上であるか否かを判断する（Ｓ５）。すなわち、回転判定部１１ｂは、カウンタの数値が所定数以上であるか否かを判断する。
【００７０】
所定回転数以上でないと判断した場合（Ｓ５：ＮＯ）、図７に示す処理は終了する。所定回転数以上であると判断した場合（Ｓ５：ＹＥＳ）、回転判定部１１ｂは、マウスホイール７１が高速回転させられたと判定し（Ｓ６）、すなわちブースター機能を有効化する操作があったと判断し、その旨の信号を操作制御部１２に送信する（Ｓ７）。そして、図７に示す処理は終了する。
【００７１】
一方、前回の割り込みマウスホイールイベント発生から所定時間内でないと判断した場合（Ｓ３：ＮＯ）、回転判定部１１ｂは、カウンタをリセットし（Ｓ８）、図７に示す処理は終了する。なお、図７に示す処理は情報処理装置１の電源がオフされるまで、繰り返し実行される。
【００７２】
図８は、本実施形態に係る情報処理方法を示すフローチャートであって、操作制御部１２の処理を示している。まず、図８に示すように、操作制御部１２は、ブースター機能が有効とされた旨のイベント情報をマウス制御部１１から受信したとする（Ｓ１１）。そして、画像制御部１２ｂは、現在の表示画像がリスト表示画像であるか、数値入力画像であるかを判断する（Ｓ１２）。
【００７３】
現在の表示画像がリスト表示画像であると判断した場合（Ｓ１２：リスト表示画像）、ブースター設定部１２ａは操作量調整部１２ｃにて調整済みの操作量、又は初期値として設定されている操作量の情報を読み込んで、マウスホイール７１の操作量に加算する（Ｓ１３）。
【００７４】
次に、リスト表示制御部１２ｂ１は、所定操作量分だけリスト表示画像（特にジョブリスト）をスクロールさせ、規定時間表示させる（Ｓ１４）。次いで、リスト表示制御部１２ｂは、ブースター設定部１２ａにて設定された操作量分だけスクロール済みであるか否かを判断する（Ｓ１５）。
【００７５】
設定された操作量分だけスクロール済みでないと判断した場合（Ｓ１５：ＮＯ）、処理はステップＳ１４に移行する。一方、設定された操作量分だけスクロール済みであると判断した場合（Ｓ１５：ＹＥＳ）、図８に示す処理は終了する。
【００７６】
ところで、現在の表示画像が数値入力画像であると判断した場合（Ｓ１２：数値入力画像）、数値入力制御部１２ｂ２は、ブースター設定部１２ａは操作量調整部１２ｃにて調整済みの操作量、又は初期値として設定されている操作量の情報を読み込んで、マウスホイール７１の操作量に加算して数値を表示する（Ｓ１６）。そして、図８に示す処理は終了する。
【００７７】
このようにして、本実施形態に係る情報処理装置１及び情報処理方法によれば、マウスホイール７１が所定速度以上で回転操作された場合にマウス操作の対象となる表示画像における操作対象に応じてマウス操作による画像表示の制御内容を変更するため、例えばリスト表示画像の表示時、数値入力時、及び画像の拡大縮小時のそれぞれにおいて適切な制御を実行することが可能となり、ブースター機能の利便性の向上を図ることができる。
【００７８】
また、段階的に画像を制御する操作対象であるか、非段階的に画像を制御する操作対象であるかを判断し、前者である場合には段階的に画像を制御し、後者である場合には非段階的に画像を制御するため、ユーザが途中画像の確認を取りたい場合に段階的な制御を実行でき、ユーザが途中画像の確認を取る必要が無い場合には非段階的に、すなわち一気に画像を制御することができる。従って、より利便性の向上を図ることができる。
【００７９】
また、リストを表示するリスト表示画像を段階的にスクロールさせるリスト制御部１２ｂ１と、数値を入力する数値入力画像内の数値を非段階的に加減算する数値入力制御部１２ｂ２とを有する。このため、リスト表示画像をスクロールさせる場合には、ユーザがジョブなどを見つける易くするために段階的にスクロールさせることができ、且つ、数値入力の場合のようにユーザが予め所望の数値を望んでおり途中を表示する必要性が無いときに一気に数値を変化させることができ、利便性の向上を図ることができる。
【００８０】
また、ブースター設定部１２ａにより設定される操作量を調整可能な操作量調整部１２ｃをさらに備え、操作量調整部１２ｃは、操作対象毎に操作量を異なる値に調整可能である。このため、例えばリスト表示画像のスクロール幅、及び数値の変化量のそれぞれについて異なる値を設定でき、一層利便性の向上を図ることができる。
【００８１】
また、リスト表示画像の操作量の初期値は数値入力の操作量の初期値よりも大きな値とされている。このため、リスト表示画像においては段階的にスクロールさせつつも全体的なスクロール幅を大きくすることとなり、例えば所望のジョブを見つけたいユーザにとっては、１度ブースター機能を有効化させることで、段階的に多くのジョブを見ることができ、一層利便性を向上させることができる。また、数値入力時においては数値の変化量が小さくなり、数値が大きく変化し過ぎて所望の値とし難くなってしまう事態を防止することができる。
【００８２】
次に、本発明の第２実施形態を説明する。第２実施形態に係る情報処理装置１及び情報処理方法は、第１実施形態のものと同様であるが、処理方法が一部異なっている。以下、第１実施形態との相違点のみを説明する。
【００８３】
第２実施形態においてリスト表示制御部１２ｂ１は、スクロールを停止させる機能と、マウスホイール７１が所定速度以上で回転操作されたと判断され難くする機能とをさらに備えている。以下、詳細に説明する。
【００８４】
まず、第１実施形態においてリスト表示制御部１２ｂ１は、ジョブリストを段階的にスクロールさせていた。このため、ユーザは段階的なスクロールの途中において所望のジョブを見つけることができる。よって、第２実施形態に係るリスト表示制御部１２ｂ１は、段階的にスクロールさせている状態において、スクロール方向と逆方向にマウスホイール７１が回転操作された場合に、スクロールを停止させることとしている。これにより、ユーザは、段階的なスクロールを停止させることができ、一層利便性が向上することとなる。なお、以下の説明ではスクロール方向と逆方向にマウスホイール７１が回転操作された場合に限らず、クリック操作された場合にもスクロールを停止させることとしている。
【００８５】
さらに、ジョブリストのジョブ数が多くない場合などには、そもそもブースター機能を有効化する必要性が少ない。このため、第２実施形態において回転判定部１１ｂは、現在の表示位置からスクロール可能なスクロール可能幅が所定幅よりも小さい場合、マウスホイール７１が所定速度以上で回転操作されたと判断するパラメータを、操作があったと判断され難い方向へ変更する。例えば、図５に示すリスト表示画像において、スクロールバーＩｂ８は、下方向には大きく移動可能であるが、上方向にはあまり移動できない。よって、マウスホイール７１を上方向に回転させた場合には、マウスホイール７１が所定速度以上で回転操作されたと判断され難くなる。これにより、スクロール可能幅があまり無い場合には、所定速度以上で回転操作されたと判断され難くして利便性を向上させることができる。
【００８６】
また、回転判定部１１ｂは、スクロール可能幅が所定幅よりも小さいと判断した場合、図７のステップＳ７にて示した所定時間（パラメータの一例）を短く変更したり、ステップＳ８にて示した所定回転数（パラメータの一例）を大きく変更したりして、所定速度以上で回転操作されたと判断され難くする。
【００８７】
図９は、第２実施形態に係る情報処理方法を示すフローチャートであって、マウス制御部１１の処理を示している。なお、図９に示す処理では既に段階的なスクロールが行われているものとする。
【００８８】
まず、図９に示すように、割り込みマウスイベントが発生したとする（Ｓ２１）。これにより、マウス制御部１１は、イベントの種類を判断する（Ｓ２２）。イベントの種類がスクロール方向と逆方向の回転を示すマウスホイールイベントである場合、又は、マウスクリックイベントである場合（Ｓ２２：スクロール方向と逆方向のマウスホイールイベント、又はマウスクリックイベント）、回転判定部１１ｂはキャンセル要求フラグをオンにセットする（Ｓ２３）。その後、回転判定部１１ｂはキャンセル要求フラグをオンにした旨の信号を操作制御部１２に送信する（Ｓ２４）。そして、図９に示す処理は終了する。
【００８９】
一方、イベントの種類がスクロール方向と同方向の回転を示すマウスホイールイベントである場合、又は、マウス移動イベントである場合（Ｓ２２：スクロール方向と同方向のマウスホイールイベント、又はマウス移動イベント）、マウス制御部１１は、それに応じた信号を操作制御部１２に送信する（Ｓ２４）。そして、図９に示す処理は終了する。
【００９０】
図１０は、第２実施形態に係る情報処理方法を示すフローチャートであって、操作制御部１２の処理を示している。なお、図１０に示すステップＳ３１〜Ｓ３４，Ｓ３６に示す処理は図８に示すステップＳ１１〜Ｓ１４，Ｓ１６と同様であるため、説明を省略する。
【００９１】
図１０に示すように、設定された操作量分だけスクロール済みでないと判断した場合（Ｓ３５：ＮＯ）、リスト表示制御部１１ｂ１は、キャンセル要求フラグがオンであるか否かを判断する（Ｓ３７）。キャンセル要求フラグがオンでないと判断した場合（Ｓ３７：ＮＯ）、処理はステップＳ３４に移行する。
【００９２】
一方、キャンセル要求フラグがオンであると判断した場合（Ｓ３７：ＹＥＳ）、リスト表示制御部１１ｂ１は、キャンセル要求フラグをオフにセットし（Ｓ３８）、図１０に示す処理は終了する。このように、キャンセル要求フラグのオン時にはステップＳ３５で「ＹＥＳ」と判断される前にステップＳ３４の処理が実行されないこととなり、スクロールが停止することとなる。
【００９３】
図１１は、第２実施形態に係る情報処理方法を示す第２のフローチャートであって、マウス制御部１１の処理を示している。なお、図１１に示すステップＳ４１，Ｓ４２，Ｓ４５〜Ｓ５０の処理は図７に示すステップＳ１〜Ｓ８と同様であるため、説明を省略する。
【００９４】
図１１に示すように、イベント情報が操作制御部１２に送信された後（Ｓ４２の後）、回転判定部１１ｂは、マウスホイール７１の回転方向のスクロール可能幅を検出して、所定幅よりも小さいかを判断する（Ｓ４３）。そして、回転判定部１１ｂは、ステップＳ４３の結果に基づいて、パラメータをセットする（Ｓ４４）。ここで、回転判定部１１ｂは、スクロール可能幅が所定幅よりも小さい場合、所定速度以上で回転操作されたと判断されたと判断され難い方向にパラメータを変更する。すなわち、ステップＳ４５の所定時間を短くしたり、ステップＳ４６の所定回転数を小さくしたりする。なお、スクロール可能幅が所定幅以上である場合、回転判定部１１ｂは、所定速度以上で回転操作されたと判断されたと判断され易い方向にパラメータを変更してもよいし、例えば予め定められている基準パラメータを維持するようにしてもよい。
【００９５】
その後、ステップＳ４５〜Ｓ５０の処理が実行されて図１１に示す処理は終了する。なお、図１１に示す処理についても情報処理装置１の電源がオフされるまで、繰り返し実行される。また、図１１に示す処理において操作制御部１２の処理は他のフローチャートに示すものと同様である。
【００９６】
このようにして、第２実施形態に係る情報処理装置１及び情報処理方法によれば、第１実施形態と同様の効果を得ることができる。
【００９７】
また、リスト表示画像を段階的にスクロールさせている状態において、スクロール方向と逆方向にマウスホイールが回転操作された場合、当該スクロールを停止させるため、例えばユーザは所望のジョブを見つけた場合にスクロールを停止させることができ、より一層利便性の向上を図ることができる。
【００９８】
また、現在の表示位置からスクロール可能なスクロール可能幅が所定幅よりも小さい場合、所定速度以上で回転操作されたと判断するパラメータを、当該操作があったと判断され難い方向へ変更する。このため、現在の表示位置からスクロールさせる幅があまり無い場合には、所定速度以上で回転操作されたと判断され難くして利便性を向上させることができる。
【００９９】
次に、本発明の第３実施形態を説明する。第３実施形態は、第１実施形態に係る情報処理装置１及び情報処理方法と同様であるが、構成が一部異なっている。以下、第１実施形態との相違点のみを説明する。
【０１００】
まず、第１実施形態では情報処理装置１を示していた。しかし、情報処理装置１に限らず、第１実施形態に係る情報処理装置１の各機能を、マウス操作を受け付ける操作装置と、操作装置と通信接続されて操作装置により受け付けられた操作内容に応じて表示画像を変化させる処理装置とに分けて構成してもよい。
【０１０１】
図１２は、第３実施形態に係る情報処理システム１００を示す構成図である。図１２に示すように、情報処理システム１００は、操作装置の一例としてのＰＣ４と、処理装置としてのＭＦＰ５と、これらを通信接続するためのＬＡＮ６とから構成されている。
【０１０２】
また、第３実施形態においてＰＣ４はマウス制御部１１を備えており、ＭＦＰ５は、操作制御部１２を備えている。マウス制御部１１からのイベント情報は、ＬＡＮ６を通じてＭＦＰ５に送信され、ＭＦＰ５のタッチパネル６０にイベントに応じた表示が行われる。さらに、ＭＦＰ５の操作制御部１２は、ＰＣ４に対してイベントに応じた表示内容を送信し、ＰＣ４は、画面上に受信した内容を表示する。
【０１０３】
これにより、ＰＣ４の画面においてリスト表示画像が段階的にスクロール表示されたり、数値入力画像が非段階的に加減算されたりすることとなる。
【０１０４】
このようにして、第３実施形態に係る情報処理システム１００及び情報処理方法によれば、第１及び第２実施形態と同様の効果を得ることができる。
【０１０５】
以上、本発明に係る画像形成装置、画像形成装置及び画像形成システムを実施形態に基づいて説明したが、本発明はこれに限定されるものではなく、本発明の趣旨を逸脱しない範囲で、変更を加えてもよい。
【０１０６】
例えば、上記実施形態ではリスト表示画像、及び数値入力画像においてブースター機能を利用する例を説明したが、これに限らず、例えば画像を拡大及び縮小可能な編集画像においてブースター機能を利用してもよい。この場合、画像拡大時には段階的に拡大させ、縮小時には非段階的に縮小させるとよい。一気に画像を拡大させてしまうと画像が大きくなり過ぎてユーザが画像を認識できなくってしまうことがあり、縮小時にはユーザが予め縮小の目標を定めていることが多いからである。
【０１０７】
また、上記実施形態においてリスト表示画像はジョブリストに限らず、紙種設定画像における紙種リストや、プルダウンにおける選択項目リストも該当する。
【符号の説明】
【０１０８】
１  情報処理装置
２  給紙装置
３  後処理装置
４  ＰＣ
５  ＭＦＰ
６  ＬＡＮ
１０  ＣＰＵ
１１  マウス制御部
１１ａ  移動判定部
１１ｂ  回転判定部
１１ｃ  クリック判定部
１２  操作制御部
１２ａ  ブースター設定部
１２ｂ  画像制御部
１２ｂ１  リスト画像制御部
１２ｂ２  数値入力制御部
１２ｃ  操作量調整部
２０  イメージリーダ部
３０  プリンタコントローラ
４０  通信部
５０  記憶部
６０  タッチパネル
７０  マウス
７１  マウスホイール
７２  マウスポインタ
【図１】
2014067294.tif 000003
【図２】
2014067294.tif 000004
【図３】
2014067294.tif 000005
【図４】
2014067294.tif 000006
【図５】
2014067294.tif 000007
【図６】
2014067294.tif 000008
【図７】
2014067294.tif 000009
【図８】
2014067294.tif 000010
【図９】
2014067294.tif 000011
【図１０】
2014067294.tif 000012
【図１１】
2014067294.tif 000013
【図１２】
2014067294.tif 000014